(57)【要約】【課題】土砂又は土砂と固化材との混合物を水底で袋詰めすることにより、水中での浮力の作用により土砂等の荷重による袋にかかる負担を軽減させ、袋の強度を最低限にして、水底の所定位置に静かに袋体を設置することができ経済的な水底における袋体へ土砂又は土砂と固化材との混合物を詰める方法を提供する。【解決手段】台船上に配置したテンションウインチと、水底Ｂに設置したウエイト３とにガイドワイヤー４を張設し、ガイドワイヤー４にガイドロープ５を介して袋８を取付け、その袋８に台船からの土砂送りホース７を脱着自在に接続した後、袋８を水底Ｂまで降ろし、土砂を袋８内に注入した後、土砂送りホース７と袋８との接続を外す。【選択図】　　　　図４
2004108095.tif 000002
【特許請求の範囲】
【請求項１】
水面上の台船に配置したテンションウインチと、水底の所定位置に設置したウエイトとを結ぶガイドワイヤーをテンションウインチで張設し、ガイドワイヤーにガイドロープを介して袋を取付け、さらにその袋に台船からの土砂送りホースを脱着自在に取付けた後、吊り下げロープにより袋を水底に着底するまで降ろして、土砂送りホースを介して土砂又は土砂と固化材との混合物をその袋内に所定量注入した後、土砂送りホースと袋との接続を外すようにした水底における袋体へ土砂又は土砂と固化材との混合物を詰める方法。
【請求項２】
請求項１におけるガイドワイヤーにガイドロープを介して袋を取付け、袋を着底させて土砂を注入した後の工程を繰り返し行ない、水底の所定の位置に複数の袋体を並べて設置する請求項１記載の水底における袋体へ土砂又は土砂と固化材との混合物を詰める方法。
【発明の詳細な説明】
【０００１】
【発明の属する技術分野】
本発明は、土砂又は土砂と固化材との混合物を水底にて袋詰めし、その袋体を水底の所定位置に設置する水底における袋体へ土砂又は土砂と固化材との混合物を詰める方法に関する。
【０００２】
【従来の技術】
従来、水底にマウンド状構造体を作るため、土砂またはセメント等の固化物質を土砂に混合した未固化体を布袋等の袋に中詰めし、水底の所定の位置に投下する種々の方法がとられている。
【０００３】
例えば、外国で行なわれている方法では、スプリットタイプの土運船の中で、土砂を袋詰めにして、水底に投下しているが、水底まで落下した時に生ずる衝撃に耐えるための強度を有する高価な袋が必要で非経済的であるだけでなく、所定の位置に設置するのが難しく、しかも衝撃で袋が破損する可能性を否定できない欠点があった。
【０００４】
また、１トン程度の土砂を布袋に入れ、その土砂入り袋体を、袋ごと吊って水底に設置するか、またはその袋体を海中に投棄する方法も取られているが、中詰めの土砂の重量を袋で直に受けるため、それに耐える袋が必要となり、かなり高価な工法となっている。
【０００５】
さらに、従来の方法では、袋に土砂等を袋詰めする作業は土運船上等の水上で行なわれており、その袋体を水中に降ろす際には、土砂等の荷重により袋及び土運船上の袋体投入時に袋体の破損があるばかりでなく、袋体の水底への着底時の衝撃により水中の汚濁とその拡散が発生する恐れがある。
【０００６】
【発明が解決しようとする課題】
本発明は、土砂又は土砂と固化材との混合物を水底で袋詰めすることにより、水中での浮力の作用により土砂等の荷重による袋にかかる負担を軽減させ、袋の強度を最低限にでき、水底の所定の位置に水中汚濁の発生なしに静かに袋体を設置することができる経済的な水底における袋体へ土砂又は土砂と固化材との混合物を詰める方法を提供する。
【０００７】
【課題を解決するための手段】
本発明は、水面上の台船に配置したテンションウインチと、水底の所定位置に設置したウエイトとを結ぶガイドワイヤーをテンションウインチで張設し、ガイドワイヤーにガイドロープを介して袋を取付け、さらにその袋に台船からの土砂送りホースを脱着自在に取付けた後、吊り下げロープにより袋を水底に着底するまで降ろして、土砂送りホースを介して土砂又は土砂と固化材との混合物をその袋内に所定量注入した後、土砂送りホースと袋との接続を外すようにした水底における袋体へ土砂又は土砂と固化材との混合物を詰める方法からなり、さらにその場合、ガイドワイヤーにガイドロープを介して袋を取付け、袋を着底させて土砂を注入した後の工程を繰り返し行ない、水底の所定の位置に複数の袋体を並べて設置する水底における袋体へ土砂又は土砂と固化材との混合物を詰める方法からなる。
【０００８】
【発明の実施の形態】
以下図面を参照して本発明の水底における袋体へ土砂又は土砂と固化材との混合物を詰める方法の一実施形態につき説明する。
【０００９】
まず図１及び図２に示すごとく、アンカー１２で係留された水面上の台船１上に配置した２台のテンションウインチ２と、水底Ｂの所定位置に設置した１個のウエイト３とを２本のガイドワイヤー４で結び、ガイドワイヤー４が緊張するようにテンションウインチ２を巻いて張設する。
【００１０】
なお、このウエイト３にはブイ１３が取付けてあり、工事終了後には、このブイ１３を外し、テンションウインチ２でガイドワイヤー４を撤去することが可能になっているが、ウエイト３はそのまま放置するか、別途撤去する。
【００１１】
次に、図３に示すごとく、台船１上には土留タンク１４と、土詰めポンプ１５、流量計１０、そして浚渫船１６から送られてくるスラリー状の土砂を土留タンク１４に送る管路１７が接続されており、土留タンク１４に送られたスラリー状の土砂は土詰めポンプ１５で引き出され、流量計１０により中詰め土量を計量できるようになっており、さらに土詰めポンプ１５で引き出されたスラリー状の土砂は流量計１０で計量されながら土砂送りホース７により水底Ｂに送り出されるようになっている。
【００１２】
さらに、図４に示すように、前記のガイドワイヤー４に沿わせてガイドロープ５を介して織布、不織布その他の透水性材料の袋８を取付け、台船１からの土砂送りホース７の端部を袋８の端部開口部に設けた逆止弁付の脱着金物６等に脱着自在に接続した後、この土砂送りホース７に接続された袋８を、吊り下げロープ９を介して台船１上から操作することにより、水底Ｂに着底するまで降ろし、着底したところで土砂送りホース７を介してスラリー状の土砂を袋８内へ所定量注入する。
【００１３】
この場合、袋８の内容積を予測し、前記流量計１０により所定量のスラリー状の土砂を袋８内に注入する。また、袋８だけでは降ろしにくい場合は、袋８に重りを取り付ける。
【００１４】
次に、土砂送りホース７の先端を袋８の端部開口部に設けた逆止弁付の脱着金物から取外すが、土砂送りホース７の先端は、例えば空気の給排気による遠隔操作で袋８の端部開口部に設けた逆止弁付の脱着金物６との取付け、取り外し可能な装置を適宜採用することができる。なお袋８内の土砂は脱着金物６の逆止弁により、袋８外へ出るのを防止できる。
【００１５】
さらにガイドワイヤー４にガイドロープ５を介して袋８を取付ける以降の一連の工程を繰り返して行なうことにより、水底Ｂの所定の位置に所望数の袋体１１を整然と並べて設置することができる。
【００１６】
この場合、図５の矢印Ｘの位置の台船１とウエイト３との間にガイドワイヤー４を張設し、この台船１を矢印Ｆ方向に移動しながら図４に示す袋８への土砂等の注入を繰り返し行ない、その間、便宜矢印Ｙで示す台船１から図５に示すようにして土砂送りホース７を送り出すことにより複数の袋８へのスラリー状の土砂を注入し、所定の水底Ｂの位置に袋詰め土砂の袋体３を多数静かにかつ整然と設置することができる。
【００１７】
以上の工事終了後は、ガイドワイヤー４を抜き取り、土砂等を袋詰めした多数の袋体１１が水底Ｂに設置される。
【００１８】
なお、上記実施形態において、土砂の代わりに土砂と固化材の混合物のスラリーを使用することも可能である。
【００１９】
【発明の効果】
以上に説明した本発明の水底における袋体へ土砂又は土砂と固化材との混合物を詰める方法によれば、土砂等を詰めた袋体を水上で直に吊り下げ、水中に降下させるのでなく、水底部分で土砂等を詰めるので、水中の浮力の作用により土砂等の荷重による袋にかかる負担が軽減され、袋体の破損を防止できる。
【００２０】
しかも本発明では、袋体を水底に静かに設置できるので、水中での汚濁発生及びその拡散が防止でき、特に袋の材質として、例えば不織布等を適宜選択することにより、土砂等中の土粒子の拡散を防止できる。
【００２１】
また、本発明では、袋の強度を必要最小限とすることができ、全体的に経済的な袋体の設置が可能である。
【図面の簡単な説明】
【図１】本発明の水底における袋体へ土砂又は土砂と固化材との混合物を詰める方法の一実施形態における台船上のテンションウインチと水底のウエイトとの間にガイドワイヤーを張設した状態の説明用側面図である。
【図２】図１の説明用斜視図である。
【図３】図１の台船上の土留タンク経由土砂を水底に送り出す土砂送りホースを示す説明用側面図である。
【図４】図１のガイドワイヤーに沿わせて袋及び土砂送りホースを水底に降ろす状態を示す説明用斜視図である。
【図５】図４に示す工程を繰り返し、水底に複数の袋体を設置する状態を示す説明用側面図である。
【符号の説明】
１　　台船
２　　テンションウインチ
３　　ウエイト
４　　ガイドワイヤー
５　　ガイドロープ
７　　土砂送りホース
８　　袋
９　　吊り下げロープ
１１　　袋体
【図１】
2004108095.tif 000003
【図２】
2004108095.tif 000004
【図３】
2004108095.tif 000005
【図４】
2004108095.tif 000006
【図５】
2004108095.tif 000007